(57)【要約】【課題】  輸送時に限らず振動や衝撃が加わった場合でも光ピックアップの破損を防止する光ディスク装置を提供する。【解決手段】ベース７に設けられた光ピックアップ８と、光ディスクの半径方向に沿ってベース７に取り付けられた回転自在のリードスクリュー１２と、光ピックアップ８に取り付けられ、かつリードスクリュー１２の溝に嵌合し、リードスクリュー１２の回転を直線運動に変換して光ピックアップ８を光ディスクの半径方向に移動させるナット部１３と、ベース７上を摺動し、かつ光ディスクを載置する載置部１７を有するトレイ４と、を備え、ナット部１３は、上端部にこの上端部の一部と一体化されたＬ字状の樹脂バネ部１５を有する。【選択図】図３
2007109294.tif 000002
【特許請求の範囲】
【請求項１】
ベースに設けられた光ピックアップと、前記光ディスクの半径方向に沿って前記ベースに取り付けられた回転自在のリードスクリューと、前記光ピックアップに取り付けられ、かつ前記リードスクリューの溝に嵌合し、前記リードスクリューの回転を直線運動に変換して前記光ピックアップを前記光ディスクの半径方向に移動させるナット部と、前記ベース上を摺動し、かつ前記光ディスクを載置する載置部を有するトレイと、を備えた光ディスク装置において、
前記ナット部は、上端部に前記上端部の一部と一体化されたＬ字状の樹脂バネ部を有し、前記トレイが前記光ピックアップに衝突することにより前記光ピックアップを破損しないようにすることを特徴とする光ディスク装置。
【請求項２】
前記トレイは、裏面に前記樹脂バネ部に当接するリブが前記光ディスクの半径方向に設けられていることを特徴とする請求項１記載の光ディスク装置。
【発明の詳細な説明】
【技術分野】
【０００１】
本発明は、外部からの衝撃を吸収する構造の光ディスク装置に関するものである。
【背景技術】
【０００２】
輸送時の振動や落下衝撃等から光ピックアップを保護する光ディスク装置が特許文献１に記載されている。
【０００３】
即ち、特許文献１には、光ピックアップと、この光ピックアップを光ディスクの半径方向に駆動する駆動部と、光ディスクを載置するトレイと、このトレイをターンテーブルにローディングするローディング部を備え、アダプターをトレイに載置してローディングし、アダプターの中心孔にターンテーブルを挿入すると共にアダプタのリブ間に光ピックアップを挿入し、更に上方からクランパでターンテーブルを押し付けるようにして固定した光ディスク装置について記載されている。
【特許文献１】特開平７−２１７５５号公報
【発明の開示】
【発明が解決しようとする課題】
【０００４】
しかしながら、アダプターをトレイに載置してローディングする必要があり、使い勝手が悪かった。また、輸送時以外では、アダプターは、トレイに載置されていないので、振動や衝撃が加わった場合には光ピックアップを保護できなかった。更に、クランパがターンテーブルを押え付ける力以上の振動や衝撃が加わった場合には、アダプターがターンテーブルからはずれて光ピックアップが破損する恐れもあった。
【０００５】
そこで本発明は、上記問題を解決するべく、輸送時に限らず振動や衝撃が加わった場合でも光ピックアップの破損を防止する光ディスク装置を提供することを目的とするものである。
【課題を解決するための手段】
【０００６】
上記目的を達成するための手段として、第１の発明は、ベースに設けられた光ピックアップと、前記光ディスクの半径方向に沿って前記ベースに取り付けられた回転自在のリードスクリューと、前記光ピックアップに取り付けられ、かつ前記リードスクリューの溝に嵌合し、前記リードスクリューの回転を直線運動に変換して前記光ピックアップを前記光ディスクの半径方向に移動させるナット部と、前記ベース上を摺動し、かつ前記光ディスクを載置する載置部を有するトレイと、を備えた光ディスク装置において、前記ナット部は、上端部に前記上端部の一部と一体化されたＬ字状の樹脂バネ部を有し、前記トレイが前記光ピックアップに衝突することにより前記光ピックアップを破損しないようにすることを特徴とする光ディスク装置を提供する。
【０００７】
第２の発明は、前記トレイは、裏面に前記樹脂バネ部に当接するリブが前記光ディスクの半径方向に設けられていることを特徴とする請求項１記載の光ディスク装置を提供する。
【発明の効果】
【０００８】
本願発明によれば、ナット部は、上端部にこの上端部の一部と一体化されたＬ字状の樹脂バネ部を有するので、輸送時に限らず、振動や衝撃が加わった場合でも光ピックアップの破損を防止できる。
【０００９】
トレイは、裏面に樹脂バネ部に当接するリブが光ディスクの半径方向に設けられているので、振動や衝撃が加わった場合に更に光ピックアップの破損を防止できる。
【発明を実施するための最良の形態】
【００１０】
以下、本発明の実施の形態につき、好ましい実施例により、図面を参照して説明する。
【実施例】
【００１１】
図１は、本発明の実施の形態の光ディスク装置の斜視図である。
【００１２】
図２は、トレイが本体から引き出された状態を示す斜視図である。
【００１３】
図３は、上方から見た駆動部とトレイの斜視図である。図４は、下方から見た駆動部とトレイとの斜視図である。図５は、光ピックアップ近傍の斜視図である。図６は、ナット部材の拡大斜視図である。図７は、トレイの下方から見た斜視図である。
【００１４】
図１及び図２に示すように、本発明の光ディスク装置１は、本体２と、本体２の内部に収納された光ディスクを駆動させるための駆動部３と、駆動部３の上方にあって、光ディスク（図示せず）を載置し、駆動部３に対して相対的に移動可能で本体２に出し入れ自在のトレイ４と、を有している。図１は、説明の便宜上、本体２を点線で示し、本体２に収納されている駆動部３及びトレイ４を実線で示している。
【００１５】
図３乃至図５に示すように、駆動部３は、中央に開口部５Ａを有する矩形状のシャーシ５と、矩形状のベース７と、このベース７にそれぞれ取り付けられた光ピックアップ８と、スピンドルモータ９と、フィードモータ１０と、一対のガイド軸１１，１１と、リードスクリュー１２と、ナット部１３と、を有している。
【００１６】
ベース７は、中央部に第1開口部７Ａと第1開口部７Ａよりも小さい第２開口部７Ｂを有し、シャーシ５と所定の空間を有して複数の弾性部材６、６、６、６により固定されている。ベース７の開口部７Ａ内の長手方向の両側には、一対のガイド軸１１、１１が取り付けられている。ベース７の第１開口部７Ａと第２開口部７Ｂは、シャーシ５の開口部５Ａ内に対応するように組み立てられている。
【００１７】
光ピックアップ８は、一対のガイド軸１１，１１にスライド可能なように取り付けられている。光ピックアップ８は、光ディスク（図示せず）の情報の記録又は再生を行うものである。一対のガイド軸１１，１１は、それらの両端に取り付けられたスプリング１４，１４，１４，１４によってベース７に付勢されている。
【００１８】
スピンドルモータ９は、ベース７の開口部７Ａの短手方向の一方の端に取り付けられている。
【００１９】
フィードモータ１０は、ベース７の第２開口部７Ｂ内に取り付けられ、光ピックアップ８を光ディスク（図示せず）の半径方向に移動させるものである。
【００２０】
リードスクリュー１２は、長手方向に沿って螺旋状の溝を有し、その一端がフィードモータ１０に取り付けられている。
【００２１】
図６に示すように、ナット部１３は、樹脂材料からなり、一端が光ピックアップ８を取り付ける底部１３Ａを有し、他端がリードスクリュー１２の螺旋状の溝に嵌合する複数の歯（図示せず）を有し、リードスクリュー１２の回転を直線運動に変換させて、光ピックアップ８をガイド軸１１に沿って光ディスクの半径方向に移動させる。更に、ナット部１３は、ガイド軸１１に平行して、底部１３Ａに形成された垂直部１３Ｂと、この垂直部１３Ｂの上端部の一部と一体化した棒状の樹脂部がＬ字状に折り曲げられて形成された樹脂バネ部１５とを有している。樹脂バネ部１５の先端部は、Ｔ字型の凸部１５Ａを有し、この凸部１５Ａに対応する垂直部１３Ｂ部分には、凸部１３Ｃが形成されている。そして、樹脂バネ部１５は、光ピックアップ８の上面よりも若干突き出ている。
【００２２】
垂直部１３Ｂに凸部１３Ｃを形成しているのは、衝撃により、樹脂バネ部１５の凸部１５Ａの変形量が過大になった時に、リミッタの役割を果たし、樹脂バネ部１５に過大な応力が加わらないようにするためである。
【００２３】
上記したと同様に、衝撃により過大な力が上下方向に加わって光ピックアップ８がトレイ４に衝突した場合には、衝撃を大幅に緩和することができ、光ピックアップ８内の光学部品等の破損を防止できる。
【００２４】
図７に示すように、トレイ４は、駆動部３の光ピックアップ８を半径方向に移動した際に光ピックアップ８内から出射するレーザ光を光ディスク（図示せず）に照射する一対のガイド軸１１，１１に沿った長形状の開口部１６と、表面に異なる直径を有する種類の光ディスクを載置する載置部１７と、を有している。
【００２５】
トレイ４の裏面における開口部１６の長手方向の一外側には、駆動部３の樹脂バネ部１５に当接するリブ１８が形成され、更に、シャーシ５の凸状の一対のスライドガイド部（図示せず）に嵌合する一対のスライドガイド溝１９，１９が形成されている。
【００２６】
トレイ４は、一対のスライドガイド溝１９，１９をシャーシ５の凸状の一対のスライドガイド部（図示せず）に沿って移動し、本体２に出し入れ自在にできるようになっている。
【００２７】
以上のように、本発明の実施の形態によれば、ナット部１３は、垂直部１３Ｂの上端部の一部と一体化した棒状の樹脂部がＬ字状に折り曲げられて形成された樹脂バネ部１５を有しているので、輸送時に限らず、振動や衝撃がトレイ４や光ピックアップ８に加わっても樹脂バネ部１５で緩和できるため、光ピックアップ８内の光学部品等の破損を防止できる。
【００２８】
トレイ４の裏面に樹脂バネ部１５に当接するリブ１８が形成されているので、衝撃により過大な力がトレイ４に加わった場合にトレイ４の破損を防止できる。
【図面の簡単な説明】
【００２９】
【図１】本発明の実施の形態の光ディスク装置の斜視図である。
【図２】トレイが本体から引き出された状態を示す斜視図である。
【図３】上方から見た駆動部とトレイの斜視図である。
【図４】下方から見た駆動部とトレイとの斜視図である。
【図５】光ピックアップ近傍の斜視図である。
【図６】ナット部材の拡大斜視図である。
【図７】トレイの下方から見た斜視図である。
【符号の説明】
【００３０】
１…光ディスク装置、２…本体、３…駆動部、４…トレイ、５…シャーシ、５Ａ、１６…開口部、６…弾性部材、７…ベース、７Ａ…第１開口部、７Ｂ…第２開口部、８…光ピックアップ、９…スピンドルモータ、１０…フィードモータ、１１…ガイド軸、１２…リードスクリュー、１３…ナット部、１３Ａ…底部、１３Ｂ…垂直部、１３Ｃ、１５Ａ…凸部、１４…スプリング、１５…樹脂バネ部、１７…載置部、１８…リブ、１９…スライドガイド溝
【図１】
2007109294.tif 000003
【図２】
2007109294.tif 000004
【図３】
2007109294.tif 000005
【図４】
2007109294.tif 000006
【図５】
2007109294.tif 000007
【図６】
2007109294.tif 000008
【図７】
2007109294.tif 000009